(57)【要約】  本開示の実施例は、ＯＦＤＭシンボル生成方法および通信機器を提供する。当該方法において、ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られたシンボル系列を含むターゲット系列を、ＰＴＲＳビット系列に基づいて生成することと、ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、前記ターゲット系列に基づいてＯＦＤＭシンボルを生成することとを含む。【選択図】図１
2021501505.tif 000002
【特許請求の範囲】
【請求項１】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル生成方法において、
ＰＴＲＳ（Ｐｈａｓｅ  Ｔｒａｃｋｉｎｇ  Ｒｅｆｅｒｅｎｃｅ  Ｓｉｇｎａｌ）ビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られたシンボル系列を含むターゲット系列を、ＰＴＲＳビット系列に基づいて生成することと、
ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、
前記ターゲット系列に基づいてＯＦＤＭシンボルを生成することと、
を含む、ＯＦＤＭシンボル生成方法。
【請求項２】
前記のターゲット系列をＰＴＲＳビット系列に基づいて生成することは、
前記ＰＴＲＳビット系列を前記データビット系列に挿入することと、
前記挿入後のビット系列のπ／２−ＢＰＳＫ（π／２−Ｂｉｎａｒｙ  Ｐｈａｓｅ  Ｓｈｉｆｔ  Ｋｅｙｉｎｇ）変調によって、前記ターゲット系列を生成することと、
を含む、請求項１に記載の方法。
【請求項３】
前記のターゲット系列をＰＴＲＳビット系列に基づいて生成することは、
前記ＰＴＲＳビット系列のＢＰＳＫ変調、および、前記データビット系列のＢＰＳＫ変調を行うことと、
前記ＰＴＲＳビット系列のＢＰＳＫ変調で得られたシンボル系列を、前記データビット系列のＢＰＳＫ変調で得られたシンボル系列に挿入することと、
前記挿入後シンボル系列の位相回転によって、前記ターゲット系列を得ることと、
を含む、請求項１に記載の方法。
【請求項４】
前記挿入後シンボル系列の位相回転は、
各シンボルの前記挿入後シンボル系列におけるインデックスに基づく、前記シンボル系列の位相回転を含み、
ここで、各シンボルの回転位相は、各シンボルの前記シンボル系列におけるインデックス×π／２である、請求項３に記載の方法。
【請求項５】
前記のターゲット系列をＰＴＲＳビット系列に基づいて生成することは、
前記ＰＴＲＳビット系列で各ＰＴＲＳビットの前記ターゲット系列におけるインデックス、および、前記データビット系列で各データビットの前記ターゲット系列におけるインデックスを算出することと、
各ＰＴＲＳビットの前記ターゲット系列におけるインデックスに基づくπ／２−ＢＰＳＫ変調によって前記ＰＴＲＳシンボル系列を得、各データビットの前記ターゲット系列におけるインデックスに基づくπ／２−ＢＰＳＫ変調によって前記データシンボル系列を得ることと、
前記ＰＴＲＳシンボル系列を前記データシンボル系列に挿入して前記ターゲット系列を得ることと、
を含む、請求項１に記載の方法。
【請求項６】
ＰＴＲＳ群のサイズが偶数である場合、前記データビット系列で各データビットの前記ターゲット系列におけるインデックスを算出する必要がなく、
前記データシンボル系列は、前記各データビットの前記データビット系列におけるインデックスに基づくπ／２−ＢＰＳＫ変調によって得られる、請求項５に記載の方法。
【請求項７】
前記のターゲット系列を生成することの前に、
π／２−ＢＰＳＫ変調を経たＤＭＲＳ（Ｄｅｍｏｄｕｌａｔｉｏｎ  Ｒｅｆｅｒｅｎｃｅ  Ｓｉｇｎａｌ）系列のうち、所定位置のＸ（０より大きい整数）×Ｋ（０より大きい整数）個のビットを、前記ＰＴＲＳビット系列とすること、または、
π／２−ＢＰＳＫ変調を経たＤＭＲＳ系列のうち、位置がＰＴＲＳパイロットパターンに対応するビットを、前記ＰＴＲＳビット系列とすること、または、
長さがシステム帯域幅内のサブキャリア数に等しく、セルＩＤによるスクランブルを経た系列のうち、ＰＴＲＳリソースマッピングの周波数領域位置に対応するサブ系列を、前記ＰＴＲＳビット系列とすること、
をさらに含む、請求項１〜６のいずれか一項に記載の方法。
【請求項８】
前記セルＩＤに対応するセルには、少なくとも２つのユーザ端末は、すべて前記セルＩＤによるスクランブルを経た系列を利用してＰＴＲＳビット系列を生成し、異なるセルでは、セルＩＤによるスクランブルを経た系列が異なる、請求項７に記載の方法。
【請求項９】
ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られたシンボル系列を含むターゲット系列を、ＰＴＲＳビット系列に基づいて生成するための第１生成モジュールと、
ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、
前記ターゲット系列に基づいてＯＦＤＭシンボルを生成するための第２生成モジュールと、
を含む、通信機器。
【請求項１０】
前記第１生成モジュールは、
前記挿入後のビット系列のπ／２−ＢＰＳＫ変調によって、前記ターゲット系列を生成することに用いられる、請求項９に記載の通信機器。
【請求項１１】
前記第１生成モジュールは、
前記ＰＴＲＳビット系列のＢＰＳＫ変調、および、前記データビット系列のＢＰＳＫ変調を行うための第１変調ユニットと、
前記ＰＴＲＳビット系列のＢＰＳＫ変調で得られたシンボル系列を、前記データビット系列のＢＰＳＫ変調で得られたシンボル系列に挿入するための第１挿入ユニットと、
前記挿入後シンボル系列の位相回転によって、前記ターゲット系列を得るための位相回転ユニットと、
を含む、請求項９に記載の通信機器。
【請求項１２】
前記位相回転ユニットは、
各シンボルの前記挿入後シンボル系列におけるインデックスに基づいて、前記シンボル系列の位相回転を行って前記ターゲット系列を得ることに用いられ、
ここで、各シンボルの回転位相は、各シンボルの前記シンボル系列におけるインデックス×π／２である、請求項１１に記載の通信機器。
【請求項１３】
前記第１生成モジュールは、
前記ＰＴＲＳビット系列で各ＰＴＲＳビットの前記ターゲット系列におけるインデックス、および、前記データビット系列で各データビットの前記ターゲット系列におけるインデックスを算出するための算出ユニットと、
各ＰＴＲＳビットの前記ターゲット系列におけるインデックスに基づくπ／２−ＢＰＳＫ変調によって前記ＰＴＲＳシンボル系列を得、各データビットの前記ターゲット系列におけるインデックスに基づくπ／２−ＢＰＳＫ変調によって前記データシンボル系列を得るための第２変調ユニットと、
前記ＰＴＲＳシンボル系列を前記データシンボル系列に挿入して前記ターゲット系列を得るための第２挿入ユニットと、
を含む、請求項９に記載の通信機器。
【請求項１４】
π／２−ＢＰＳＫ変調を経たＤＭＲＳ系列のうち、所定位置のＸ（０より大きい整数）×Ｋ（０より大きい整数）個のビットを、前記ＰＴＲＳビット系列とするための第３生成モジュール、または、
π／２−ＢＰＳＫ変調を経たＤＭＲＳ系列のうち、位置がＰＴＲＳパイロットパターンに対応するビットを、前記ＰＴＲＳビット系列とするための第４生成モジュール、または、
長さがシステム帯域幅内のサブキャリア数に等しく、セルＩＤによるスクランブルを経た系列のうち、ＰＴＲＳリソースマッピングの周波数領域位置に対応するサブ系列を、前記ＰＴＲＳビット系列とするための第５生成モジュール、
をさらに含む、請求項９〜１３のいずれか一項に記載の通信機器。
【請求項１５】
前記セルＩＤに対応するセルには、少なくとも２つのユーザ端末は、すべて前記セルＩＤによるスクランブルを経た系列を利用してＰＴＲＳビット系列を生成し、異なるセルでは、セルＩＤによるスクランブルを経た系列が異なる、請求項１４に記載の通信機器。
【請求項１６】
メモリと、プロセッサと、前記メモリに格納されて前記プロセッサで実行可能なコンピュータプログラムを含む通信機器において、
前記コンピュータプログラムが前記プロセッサによって実行されると、請求項１〜８のいずれか一項に記載のＯＦＤＭシンボル生成方法のステップが実現される、通信機器。
【請求項１７】
コンピュータプログラムが格納されているコンピュータ読み取り可能な記憶媒体であって、
前記コンピュータプログラムがプロセッサによって実行されると、請求項１〜８のいずれか一項に記載のＯＦＤＭシンボル生成方法のステップが実現される、コンピュータ読み取り可能な記憶媒体。
【発明の詳細な説明】
【技術分野】
【０００１】
本願は、２０１７年１１月１６日に中国特許庁に提出された中国特許出願２０１７１１１３５８６６．３の優先権を主張し、その全ての内容が援用によりここに取り込まれる。
本開示の実施例は、通信技術分野に係り、特にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル生成方法および通信機器に係る。
【背景技術】
【０００２】
５Ｇ（５ｔｈ  ｇｅｎｅｒａｔｉｏｎ）通信システムでは、高周波通信によってリンク伝送レートを高める。しかし、実際の応用において、一般的に、動作周波数が高いほど、位相雑音が大きくなる。よって、高周波伝送の場合、位相雑音を除去するために、送信側は、受信側では知られている参照信号、すなわちＰＴＲＳ（Ｐｈａｓｅ  Ｔｒａｃｋｉｎｇ  Ｒｅｆｅｒｅｎｃｅ  Ｓｉｇｎａｌ）を送信する必要があり、受信側は、当該ＰＴＲＳに基づいて位相雑音の推定をし、対応する位相補償を行う。ここで、ＰＴＲＳ系列が時間領域でチャンク（ｃｈｕｎｋ）の形式でデータ系列に挿入され、挿入後の系列からＯＦＤＭシンボルが生成される。現在、ＰＴＲＳビット系列とデータビット系列は、独立に変調される。ＰＴＲＳビット系列とデータビット系列が独立に変調されるため、ＰＴＲＳチャンクの境界サンプリングポイントでは、位相πのジャンプが生じる可能性がある。たとえば、第ｎ個のＰＴＲＳチャンクは、変調後のＫ個のＰＴＲＳシンボルを含むとし、ｒｎ（ｉ）（ｉ＝０，．．．，Ｋ−１）として時間領域の第ｋn，ｋｎ＋１，．．．，ｋｎ＋Ｋ−１個のサンプリングポイントにマッピングされる。ＰＴＲＳ系列とデータ系列が独立に変調されるため、第ｋｎ−１と第ｋｎ個のサンプリングポイントの間、第ｋｎ＋Ｋ−１と第ｋｎ＋Ｋ個のサンプリングポイントの間など、ＰＴＲＳチャンクの境界サンプリングポイントでは、位相πのジャンプが生じる可能性がある。位相πのジャンプが生じる可能性があるため、ＰＡＰＲ（Ｐｅａｋ  ｔｏ  Ａｖｅｒａｇｅ  Ｐｏｗｅｒ  Ｒａｔｉｏ）が高くなる。
【発明の概要】
【発明が解決しようとする課題】
【０００３】
ＯＦＤＭシンボル生成方法において、
ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られたシンボル系列を含むターゲット系列を、ＰＴＲＳビット系列に基づいて生成することと、
ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、
前記ターゲット系列に基づいてＯＦＤＭシンボルを生成することと、
を含む。
【０００４】
第１方面では、本開示の実施例は、ＯＦＤＭシンボル生成方法を提供する。
当該方法において、
ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られたシンボル系列を含むターゲット系列を、ＰＴＲＳビット系列に基づいて生成することと、
ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、
前記ターゲット系列に基づいてＯＦＤＭシンボルを生成することと、
を含む。
【０００５】
第２方面では、本開示の実施例は、通信機器をさらに提供する。
当該通信機器は、
ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られたシンボル系列を含むターゲット系列を、ＰＴＲＳビット系列に基づいて生成するための第１生成モジュールと、
ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、
前記ターゲット系列に基づいてＯＦＤＭシンボルを生成するための第２生成モジュールと、
を含む。
【０００６】
第３方面では、本開示の実施例は、通信機器をさらに提供する。
メモリと、プロセッサと、前記メモリに格納されて前記プロセッサで実行可能なコンピュータプログラムを含む通信機器において、
前記コンピュータプログラムが前記プロセッサによって実行されると、本開示の実施例におけるＯＦＤＭシンボル生成方法のステップが実現される。
【０００７】
第４方面では、本開示の実施例は、コンピュータ読み取り可能な記憶媒体をさらに提供する。
コンピュータプログラムが格納されているコンピュータ読み取り可能な記憶媒体であって、
前記コンピュータプログラムがプロセッサによって実行されると、本開示の実施例におけるＯＦＤＭシンボル生成方法のステップが実現される。
【０００８】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【０００９】
【図１】本開示の実施例の応用可能なネットワークシステムの構造図である。
【図２】本開示の実施例におけるＯＦＤＭシンボル生成方法のフローチャートである。
【図３】本開示の実施例における別のＯＦＤＭシンボル生成方法のフローチャートである。
【図４】本開示の実施例における系列挿入図である。
【図５】本開示の実施例におけるＯＦＤＭシンボル生成方法の概略図である。
【図６】本開示の実施例における別のＯＦＤＭシンボル生成方法の概略図である。
【図７】本開示の実施例における別のＯＦＤＭシンボル生成方法の概略図である。
【図８】本開示の実施例における通信機器の構造図である。
【図９】本開示の実施例における別の通信機器の構造図である。
【図１０】本開示の実施例における別の通信機器の構造図である。
【図１１】本開示の実施例における別の通信機器の構造図である。
【図１２】本開示の実施例における別の通信機器の構造図である。
【発明を実施するための形態】
【００１０】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに得られるすべての実施例は、本開示の保護範囲に属するものである。明細書および特許請求の範囲における「および／または」とは、接続対象の少なくとも一つを示す。
【００１１】
図１を参照する。図１は、本開示の実施例の応用可能なネットワークシステムの構造図である。図１に示すように、ユーザ端末１１と基地局１２が含まれる。ここで、ユーザ端末１１は、ＵＥ（Ｕｓｅｒ  Ｅｑｕｉｐｍｅｎｔ）であり、たとえば携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例では、ユーザ端末１１の具体的な種類を限定しない。上記基地局１２は、５Ｇおよびそれ以上のバージョンの基地局（たとえばｇＮＢ、５Ｇ  ＮＲ  ＮＢ）、またはほかの通信システムでの基地局であり、または、ノードＢや進化ノードＢと称し、または前記分野でのほかの用語である。同一の技術効果を達成できれば、前記基地局は、特定の技術用語に限定されない。なお、本開示の実施例において、単に５Ｇ基地局を例とするが、基地局１２の具体的な種類を限定しない。
【００１２】
なお、本開示の実施例における通信機器は、ユーザ端末１１または基地局１２であり、かつ通信機器の具体的な機能は、以下の複数の実施例を通じて具体的に記載される。
【００１３】
図２を参照する。図２は、本開示の実施例におけるＯＦＤＭシンボル生成方法のフローチャートである。当該方法は、ユーザ端末または基地局の送信側、または、ＯＦＤＭシンボルを用いて通信する通信機器送信側に用いられる通信機器に応用される。具体的に、図２を参照し、以下のステップを含む。
【００１４】
ステップ２０１において、ターゲット系列をＰＴＲＳビット系列に基づいて生成する。ここで、前記ターゲット系列は、ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られるシンボル系列を含む。ここで、前記ＰＴＲＳシンボル系列は、ＰＴＲＳビットのインデックスに基づいて前記ＰＴＲＳビット系列を変調したシンボル系列である。前記データシンボル系列は、データビットのインデックスに基づいて前記データビット系列を変調したシンボル系列である。
【００１５】
ここで、上記ＰＴＲＳビット系列をデータビット系列に挿入して変調したシンボル系列とは、ＰＴＲＳビット系列をデータビット系列に挿入して合成ビット系列を得、合成ビット系列のπ／２−ＢＰＳＫ（π／２−Ｂｉｎａｒｙ  Ｐｈａｓｅ  Ｓｈｉｆｔ  Ｋｅｙｉｎｇ）変調で得られるシンボル系列である。上記ターゲット系列が、挿入後に変調されるシンボル系列であるため、シンボル系列の隣接サンプリングポイントの位相変化が常に±π／２であることを保証し、低いＰＡＰＲを保証することができる。
【００１６】
また、上記の前記ＰＴＲＳビット系列の変調シンボル系列を前記データビット系列の変調シンボル系列に挿入して位相回転をしたシンボル系列とは、ＰＴＲＳビット系列のπ／２−ＢＰＳＫ変調とデータビット系列のπ／２−ＢＰＳＫ変調を独自に行って対応する変調シンボル系列を得、ＰＴＲＳビット系列の変調シンボル系列を前記データビット系列の変調シンボル系列に挿入して合成シンボル系列を得、合成シンボルの位相回転によって、低いＰＡＰＲを保証する。
【００１７】
上記ＰＴＲＳシンボル系列をデータシンボル系列に挿入して得られるシンボル系列とは、ＰＴＲＳビット系列で各ＰＴＲＳビットの合成系列におけるインデックス（ｉｎｄｅｘ）（または番号という）、および、データビット系列で各ＰＴＲＳビットの合成系列におけるインデックスを予め算出し、その後、ＰＴＲＳビットのインデックスに基づく前記ＰＴＲＳビット系列の変調と、データビットのインデックスに基づく前記データビット系列の変調を行う。ここで、上記ＰＴＲＳビットのインデックスに基づく前記ＰＴＲＳビット系列の変調とは、ＰＴＲＳビットの変調において、変調に用いられるインデックスがＰＴＲＳビットの合成系列におけるインデックスである。上記データビットのインデックスに基づく前記データビット系列の変調とは、データビットの変調において、変調に用いられるインデックスがデータビットの合成系列におけるインデックスである。よって、変調において統一のインデックスが用いられることを保証し、ＰＴＲＳビット系列とデータビット系列の独自の変調による位相のジャンプが避けられ、低いＰＡＰＲを保証する。
【００１８】
本開示の実施例において、ＰＴＲＳビット系列は、データビット系列への挿入として、ＰＴＲＳのパイロットパターンにしたがってチャンク形式でデータビットに挿入され、ＰＴＲＳシンボル系列は、データシンボル系列への挿入として、ＰＴＲＳのパイロットパターンにしたがってチャンク形式でデータシンボルに挿入される。ここで、ＰＴＲＳのパイロットパターンは、一般的に、スケジューリングされる（ｓｃｈｅｄｕｌｅｄ）ＲＢ（Ｒｅｓｏｕｒｃｅ  Ｂｌｏｃｋ）の数で暗黙的に指示され、チャンクのサイズ（Ｋ）、数（Ｘ）および位置を含む。記載をしやすくするために、ＰＴＲＳのパイロットパターンは、Ｘ×Ｋ（ＫおよびＸが正整数である）に記載する。
【００１９】
ステップ２０２において、前記ターゲット系列に基づいてＯＦＤＭシンボルを生成する。
【００２０】
ここで、上記の前記ターゲット系列に基づいてＯＦＤＭシンボルを生成することは、上記ターゲット系列のＤＦＴ（Ｄｉｓｃｒｅｔｅ  Ｆｏｕｒｉｅｒ  Ｔｒａｎｓｆｏｒｍ）、プリコーディングおよびリソースマッピングを行ってＤＦＴ−ｓ−ＯＦＤＭシンボルを生成することである。
【００２１】
なお、本開示の実施例における上記方法は、５Ｇシステムに応用可能であり、これについて、限定しないが、基本的に同一の機能を実現できれば、６ＧシステムやほかのＯＦＤＭを応用する通信システムなど、ほかの通信システムにも適用する。
【００２２】
本実施例において、ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳビットのインデックスに基づいて前記ＰＴＲＳビット系列を変調したシンボル系列であるＰＴＲＳシンボル系列を、データビットのインデックスに基づいて前記データビット系列を変調したシンボル系列であるデータシンボル系列に挿入して得られるシンボル系列を含むターゲット系列を、ＰＴＲＳビット系列に基づいて生成し、前記ターゲット系列に基づいてＯＦＤＭシンボルを生成する。
本開示の実施例によれば、ＰＡＰＲを低くすることができる。
【００２３】
図３を参照する。図３は、本開示の実施例における別のＯＦＤＭシンボル生成方法である。当該方法は、ユーザ端末または基地局の送信側、または、ＯＦＤＭシンボルを用いて通信する通信機器送信側に用いられる通信機器に応用され、図３に示すように、以下のステップを含む。
【００２４】
ステップ３０１において、ＰＴＲＳビット系列を生成する。
【００２５】
ここで、ステップ３０１ではＰＴＲＳのパイロットパターンに基づき、以下のいずれか一つの方法でＰＴＲＳビット系列を生成する。
π／２−ＢＰＳＫ変調を経たＤＭＲＳ（Ｄｅｍｏｄｕｌａｔｉｏｎ  Ｒｅｆｅｒｅｎｃｅ  Ｓｉｇｎａｌ）系列のうち、所定位置のＸ（０より大きい整数）×Ｋ（０より大きい整数）個のビットを、前記ＰＴＲＳビット系列とする。
または、π／２−ＢＰＳＫ変調を経たＤＭＲＳ系列のうち、位置がＰＴＲＳパイロットパターンに対応するビットを、前記ＰＴＲＳビット系列とする。
または、長さがシステム帯域幅内のサブキャリア数に等しく、セルＩＤ（ｃｅｌｌ  ＩＤ）によるスクランブルを経た系列のうち、ＰＴＲＳリソースマッピングの周波数領域位置に対応するサブ系列を、前記ＰＴＲＳビット系列とする。
【００２６】
ここで、上記のＤＭＲＳ系列のうち、所定位置のＸ×Ｋ個のビットを、前記ＰＴＲＳビット系列とすることは、ＤＭＲＳ系列のうち、所定位置の連続するＸ×Ｋ個のビットを前記ＰＴＲＳビット系列とし、もちろん、これに対し限定せず、一部のシーンでは、非連続のＸ×Ｋ個のビットを前記ＰＴＲＳビット系列としてもよい。
【００２７】
ここで、上記π／２−ＢＰＳＫ変調は、ＢＰＳＫ変調を基にｅｊｉπ／２を乗じる。ここで、ｉは、ビットインデックスである。たとえば、上記π／２−ＢＰＳＫ変調は、式（１）で変調する。
【００２８】
［式１］
2021501505.tif 000003
ここで、ｘｉは、第ｉ個のビットに対応する変調済みのπ／２−ＢＰＳＫシンボルであり、ｂｉは、変調が必要なビット系列であり、ｊは、虚数単位である。明らかに、当該変調方式は、位相変化が常に±π／２であることを保証でき、位相πのジャンプが生じなることはない。よって、ＢＰＳＫに比較し、π／２−ＢＰＳＫは、さらにＰＡＰＲを低くすることができる。
【００２９】
なお、本開示の実施例において、π／２−ＢＰＳＫ変調は、Ｐｉ／−ＢＰＳＫ変調ともいう。
【００３０】
たとえば、ステップ３０１では、ＰＴＲＳのパイロットパターン（たとえばチャンクのサイズ、チャンクの数、チャンクの位置）に基づき、以下のいずれか一つの方法でＰＴＲＳビット系列を生成する。
π／２−ＢＰＳＫのＤＭＲＳ系列の先端、または末端、または中間部分の任意の位置からＸ×Ｋ個の長さの系列を切り取ってＰＴＲＳビット系列とする。
または、π／２−ＢＰＳＫのＤＭＲＳ系列に対しｐｕｎｃｔｕｒｅを行い、ＰＴＲＳパイロットパターンに対応する位置以外のビットを除去し、残りのビット系列をＰＴＲＳビット系列とする。
または、ＰＴＲＳリソースマッピングの周波数領域位置にしたがって、親系列から対応位置のサブ系列を抽出してＰＴＲＳビット系列とする。前記親系列は、セルＩＤによってスクランブルされかつその長さがシステム帯域内のサブキャリア数に等しい。前記親系列は、同一セルでのすべてのユーザに共有される。ここで、上記親系列は、上記のセルＩＤでスクランブルされた系列と理解してもよい。
【００３１】
また、前記セルＩＤに対応するセルには、少なくとも２つのユーザ端末が、すべて前記セルＩＤによるスクランブルを経た系列を利用してＰＴＲＳビット系列を生成し、異なるセルでは、セルＩＤによるスクランブルを経た系列が異なる。
【００３２】
よって、多くの系列を配置することなくシステムのオーバヘッドを低下させる。さらに、セルＩＤに対応するセルには、すべてのユーザ端末が前記セルＩＤによるスクランブルを経た系列を利用してＰＴＲＳビット系列を生成してもよい。よって、同一セル内のすべてのユーザ端末のＰＴＲＳビット系列が同一系列から抽出されることを保証する。もちろん、同一セル内の異なるユーザ端末で生成されるＰＴＲＳ系列は、異なってもよい。たとえば、異なるユーザ端末は、上記セルＩＤによるスクランブルを経た系列から異なる位置の系列を抽出して、対応するＰＴＲＳビット系列とする。
【００３３】
このように、同一セルのすべてのユーザ端末が前記セルＩＤによるスクランブルを経た系列を共有することが実現される。
【００３４】
本実施例において、ステップ３０１ではπ／２−ＢＰＳＫ変調を経たＤＭＲＳ系列から前記ＰＴＲＳビット系列を得られるため、ＰＴＲＳビット系列の位相変化が±π／２に維持することを保証し、さらにＰＡＰＲを低くすることができる。
【００３５】
ステップ３０２において、ターゲット系列をＰＴＲＳビット系列に基づいて生成する。ここで、前記ターゲット系列は、ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られるシンボル系列を含む。ここで、前記ＰＴＲＳシンボル系列は、ＰＴＲＳビットのインデックスに基づいて前記ＰＴＲＳビット系列を変調したシンボル系列である。前記データシンボル系列は、データビットのインデックスに基づいて前記データビット系列を変調したシンボル系列である。
【００３６】
ステップ３０３において、前記ターゲット系列に基づいてＯＦＤＭシンボルを生成する。
【００３７】
選択可能な実施形態として、前記のターゲット系列をＰＴＲＳビット系列に基づいて生成することは、
前記ＰＴＲＳビット系列を前記データビット系列に挿入することと、
前記挿入後ビット系列のπ／２−ＢＰＳＫ変調によって前記ターゲット系列を生成することと、を含む。
【００３８】
当該実施形態において、ＰＴＲＳのパイロットパターンにしたがって、ＰＴＲＳビット系列をデータビット系列に挿入し、図４に示すように、新規のビット系列ｐlを生成する。
【００３９】
当該実施形態において、詳細は、以下の記載を参照する。
ＰＴＲＳのパイロットパターン（たとえばチャンクのサイズ、チャンクの数、チャンクの位置）に基づいて、以下のいずれか一つの方法でＰＴＲＳビット系列を生成する。
π／２−ＢＰＳＫのＤＭＲＳ系列の先端、または末端、または中間部分の任意の位置からＸ×Ｋ個の長さの系列を切り取ってＰＴＲＳビット系列とする。
または、π／２−ＢＰＳＫのＤＭＲＳ系列に対しｐｕｎｃｔｕｒｅを行い、ＰＴＲＳパイロットパターンに対応する位置以外のビットを除去し、残りのビット系列をＰＴＲＳビット系列とする。
または、ＰＴＲＳリソースマッピングの周波数領域位置にしたがって、親系列から対応位置のサブ系列を抽出してＰＴＲＳビット系列とする。前記親系列は、セルＩＤ（ｃｅｌｌ  ＩＤ）によってスクランブルされかつその長さがシステム帯域内のサブキャリア数に等しい。前記親系列は、同一セルでのすべてのユーザに共有される。
【００４０】
図５に示すフローのように、生成したＰＴＲＳビット系列をデータビット系列に挿入し、合成後のビット系列のπ／２−ＢＰＳＫ変調を行う。
【００４１】
また、当該実施形態において、ＰＴＲＳパイロットパターンをＸ×Ｋとし、ＰＴＲＳビット系列をｂｃ，ｉとし、ｃ＝０，１，．．．，Ｘ−１は、チャンクの番号インデックスであり、ｉ＝０，１，．．．，Ｋ−１は、各チャンク内のサンプリングポイントインデックスである。データビット系列をｄｊとし、ｊ＝０，１，．．．，Ｎ−Ｘ×Ｋ−１（ＮがＤＦＴサイズである）。
【００４２】
まず、ＰＴＲＳパイロットパターンにしたがって、ＰＴＲＳビット系列をデータビット系列に挿入した後に、図４に示すように、新規のビット系列ｐlを生成する。それから、新規に生成したビット系列ｐlを式２によってシンボル系列ｑlに変調（π／２−ＢＰＳＫ）する。
【００４３】
［式２］
2021501505.tif 000004
【００４４】
具体的なフローとして、図５に示すように、以下のステップを含む。
ステップ５０１において、ＰＴＲＳビット系列を生成する。
ステップ５０２において、データビット系列を取得する。
ステップ５０３において、ＰＴＲＳビット系列をデータビット系列に挿入する。
ステップ５０４において、π／２−ＢＰＳＫ変調を行う。当該ステップは、挿入後のビット系列のπ／２−ＢＰＳＫ変調によって変調シンボル系列を得る。
ステップ５０５において、ＤＦＴ変換を行う。当該ステップは、変調後のシンボル系列のＤＦＴ変換を行う。
ステップ５０６において、プリコーディングを行う。当該ステップは、ＤＦＴ変換後の系列のプリコーディングを行う。
ステップ５０７において、リソースマッピングを行う。当該ステップは、プリコーディングされる系列をリソースにマッピングする。
ステップ５０８において、ＤＦＴ−Ｓ−ＯＦＤＭシンボルを生成する。
【００４５】
なお、ステップ５０１とステップ５０２の実行順は、限定されない。
【００４６】
当該実施形態において、ＤＦＴ前のシンボル系列の位相変化を±π／２に維持することを保証し、低いＰＡＰＲを保証することができる。
【００４７】
別の選択可能な実施形態として、前記のターゲット系列をＰＴＲＳビット系列に基づいて生成することは、
前記ＰＴＲＳビット系列のＢＰＳＫ変調、および、前記データビット系列のＢＰＳＫ変調を行うことと、
前記ＰＴＲＳビット系列のＢＰＳＫ変調で得られたシンボル系列を、前記データビット系列のＢＰＳＫ変調で得られたシンボル系列に挿入することと、
前記挿入後シンボル系列の位相回転によって前記ターゲット系列を得ることと、を含む。
【００４８】
当該実施形態において、ＰＴＲＳビット系列のＢＰＳＫ変調、および、データビット系列のＢＰＳＫ変調を独自に行ってから、ＰＴＲＳパイロットパターンにしたがって、前記ＰＴＲＳビット系列のＢＰＳＫ変調で得られたシンボル系列を、前記データビット系列のＢＰＳＫ変調で得られたシンボル系列に挿入して合成系列を得、さらに合成系列の位相回転を行う。合成系列の位相回転を行うため、低いＰＡＰＲを保証する。
【００４９】
選択可能に、前記挿入後シンボル系列の位相回転は、各シンボルの前記挿入後シンボル系列におけるインデックスに基づく、前記シンボル系列の位相回転を含む。
ここで、各シンボルの回転位相は、各シンボルの前記シンボル系列におけるインデックス×π／２である。
【００５０】
各シンボルの前記挿入後シンボル系列におけるインデックス（または番号）にしたがって前記シンボル系列の位相回転を行い、かつ各シンボルの回転位相が各シンボルの前記シンボル系列におけるインデックス×π／２であるため、ＤＦＴ前のシンボル系列の位相変化が±π／２に維持することを保証し、低いＰＡＰＲを保証することができる。
【００５１】
当該実施形態において、詳細は、以下の記載を参照する。
ＰＴＲＳのパイロットパターン（たとえばチャンクのサイズ、チャンクの数、チャンクの位置）に基づいて、以下のいずれか一つの方法でＰＴＲＳビット系列を生成する。
π／２−ＢＰＳＫのＤＭＲＳ系列の先端、または末端、または中間部分の任意の位置からＸ×Ｋ個の長さの系列を切り取ってＰＴＲＳビット系列とする。
または、π／２−ＢＰＳＫのＤＭＲＳ系列に対しｐｕｎｃｔｕｒｅを行い、ＰＴＲＳパイロットパターンに対応する位置以外のビットを除去し、残りのビット系列をＰＴＲＳビット系列とする。
または、ＰＴＲＳリソースマッピングの周波数領域位置にしたがって、親系列から対応位置のサブ系列を抽出してＰＴＲＳビット系列とする。前記親系列は、セルＩＤ（ｃｅｌｌ  ＩＤ）によってスクランブルされかつその長さがシステム帯域内のサブキャリア数に等しい。前記親系列は、同一セルでのすべてのユーザに共有される。
【００５２】
ＰＴＲＳビット系列のＢＰＳＫ変調とデータビット系列のＢＰＳＫ変調をそれぞれ行い、次にＰＴＲＳシンボル系列をＰＤＳＣＨシンボル系列に挿入し、合成後のシンボル系列を位相回転を行い、すなわちｅｊｉπ／２を乗じる。ここで、ｉは、合成後のシンボル系列である。そのフローは図６に示されている。
【００５３】
ＰＴＲＳパイロットパターンをＸ×Ｋとし、ＰＴＲＳビット系列をｂｃ，ｉとし、ｃ＝０，１，．．．，Ｘ−１は、チャンクの番号インデックスであり、ｉ＝０，１，．．．，Ｋ−１は、各チャンク内のサンプリングポイントインデックスである。データビット系列をｄｊとし、ｊ＝０，１，．．．，Ｎ−Ｘ×Ｋ−１（ＮがＤＦＴサイズである）。
【００５４】
まず、ＰＴＲＳビット系列とデータビット系列をそれぞれ式（３）によってＢＰＳＫ変調を行い、ＰＴＲＳシンボル系列とデータシンボル系列を得る。
【００５５】
［式３］
2021501505.tif 000005
ここで、ｂｉ は、ＰＴＲＳビット系列またはデータビット系列であり、ｘｉは、ＰＴＲＳシンボル系列またはデータシンボル系列である。次に、ＰＴＲＳパイロットパターンにしたがって、ＰＴＲＳシンボル系列をデータシンボル系列に挿入する。それから、式（４）によって、新規に生成したシンボル系列の位相回転を行う。
【００５６】
［式４］
2021501505.tif 000006
ｐｉ、ｑｉは、それぞれ位相回転前、位相回転後のシンボル系列である。
【００５７】
具体的なフローとして、図６に示すように、以下のステップを含む。
ステップ６０１において、ＰＴＲＳビット系列を生成する。
ステップ６０２において、データビット系列を取得する。
ステップ６０３において、ＢＰＳＫ変調を行う。当該ステップは、ＰＴＲＳビット系列のＢＰＳＫ変調を行う。
ステップ６０４において、ＢＰＳＫ変調を行う。当該ステップは、データビット系列のＢＰＳＫ変調を行う。
ステップ６０５において、ＰＴＲＳシンボル系列をデータシンボル系列に挿入する。
ステップ６０６において、位相回転を行う。当該ステップは、挿入後系列の位相回転を行う。
ステップ６０７において、ＤＦＴ変換を行う。当該ステップは、変調後のシンボル系列のＤＦＴ変換を行う。
ステップ６０８において、プリコーディングを行う。当該ステップは、ＤＦＴ変換後の系列のプリコーディングを行う。
ステップ６０９において、リソースマッピングを行う。当該ステップは、プリコーディングされる系列をリソースにマッピングする。
ステップ６０１０において、ＤＦＴ−Ｓ−ＯＦＤＭシンボルを生成する。
【００５８】
なお、ステップ６０１とステップ６０２の実行順は、限定されない。また、ステップ６０３は、ステップ６０１の後に実行され、ステップ６０４は、ステップ６０２の後に実行される。
【００５９】
当該実施形態において、ＤＦＴ前のシンボル系列の位相変化が±π／２に維持することを保証し、低いＰＡＰＲを保証することができる。
【００６０】
別の選択可能な実施形態として、前記のターゲット系列をＰＴＲＳビット系列に基づいて生成することは、
前記ＰＴＲＳビット系列で各ＰＴＲＳビットの前記ターゲット系列におけるインデックス、および、前記データビット系列で各データビットの前記ターゲット系列におけるインデックスを算出することと、
各ＰＴＲＳビットの前記ターゲット系列におけるインデックスに基づくπ／２−ＢＰＳＫ変調によって前記ＰＴＲＳシンボル系列を得、各データビットの前記ターゲット系列におけるインデックスに基づくπ／２−ＢＰＳＫ変調によって前記データシンボル系列を得ることと、
前記ＰＴＲＳシンボル系列を前記データシンボル系列に挿入して前記ターゲット系列を得ることとを含む。
【００６１】
ＰＴＲＳ群のサイズが偶数である場合、前記データビット系列で各データビットの前記ターゲット系列におけるインデックスを算出する必要がない。前記データシンボル系列は、前記各データビットの前記データビット系列におけるインデックスに基づくπ／２−ＢＰＳＫ変調によって得られる。
【００６２】
上記の前記ＰＴＲＳシンボル系列を前記データシンボル系列に挿入して前記ターゲット系列を得ることは、ＰＴＲＳのパイロットパターン（たとえばチャンクのサイズ、チャンクの数、チャンクの位置）に基づいて、前記ＰＴＲＳシンボル系列を前記ＰＴＲＳシンボル系列に挿入して前記ターゲット系列を得る。
【００６３】
また、上記の前記ＰＴＲＳビット系列で各ＰＴＲＳビットの前記ターゲット系列におけるインデックス、および、前記データビット系列で各データビットの前記ターゲット系列におけるインデックスを算出することは、各ビットの挿入後のターゲット系列におけるインデックス（または番号）を挿入前に予め算出する。ＰＴＲＳのパイロットパターンから各ビットの挿入位置を明確に知ることができるため、前記ＰＴＲＳビット系列で各ＰＴＲＳビットの前記ターゲット系列におけるインデックス、および、前記データビット系列で各データビットの前記ターゲット系列におけるインデックスを予め算出できるからである。
【００６４】
また、各ＰＴＲＳビットの前記ターゲット系列におけるインデックスに基づくπ／２−ＢＰＳＫ変調によって前記ＰＴＲＳシンボル系列を得ることは、π／２−ＢＰＳＫ変調において各ＰＴＲＳビットに用いられるインデックスが上記ターゲット系列におけるインデックスである。各データビットの前記ターゲット系列におけるインデックスに基づくπ／２−ＢＰＳＫ変調によって前記データシンボル系列を得ることは、π／２−ＢＰＳＫ変調において各データビットに用いられるインデックスが上記ターゲット系列におけるインデックスである。このように、ターゲット系列で各サンプリングポイントの位相変化が±π／２に維持され、低いＰＡＰＲが保証される。
【００６５】
たとえば、ＰＴＲＳビット系列の１つ目のチャンクの１つ目のＰＴＲＳビットは、ＰＴＲＳビット系列におけるインデックスが０である。ＰＴＲＳビット系列の１つ目のチャンクは、データビット系列の４つ目のビット（データビット系列でのインデックスが３である）と５つ目のビット（データビット系列でのインデックスが４である）の間に挿入されるため、当該実施例形態において、π／２−ＢＰＳＫ変調においてＰＴＲＳビット系列の１つ目のチャンクの１つ目のＰＴＲＳビットのインデックスは、４（ターゲット系列の５つ目のビット）を採用し、ほかのＰＴＲＳビットは、これに準じて類推し、データビット系列の５つ目のビットのインデックスは、４＋チャンクのサイズ（Ｋ）を採用し、ほかのデータビットは、これに準じて類推する。
【００６６】
当該実施形態において、詳細は、以下の記載を参照する。
ＰＴＲＳのパイロットパターン（たとえばチャンクのサイズ、チャンクの数、チャンクの位置）に基づいて、以下のいずれか一つの方法でＰＴＲＳビット系列を生成する。
π／２−ＢＰＳＫのＤＭＲＳ系列の先端、または末端、または中間部分の任意の位置からＸ×Ｋ個の長さの系列を切り取ってＰＴＲＳビット系列とする。
または、π／２−ＢＰＳＫのＤＭＲＳ系列に対しｐｕｎｃｔｕｒｅを行い、ＰＴＲＳパイロットパターンに対応する位置以外のビットを除去し、残りのビット系列をＰＴＲＳビット系列とする。
または、ＰＴＲＳリソースマッピングの周波数領域位置にしたがって、親系列から対応位置のサブ系列を抽出してＰＴＲＳビット系列とする。前記親系列は、セルＩＤ（ｃｅｌｌ  ＩＤ）によってスクランブルされかつその長さがシステム帯域内のサブキャリア数に等しい。前記親系列は、同一セルでのすべてのユーザに共有される。
【００６７】
それから、各ＰＴＲＳビットおよび各データビットの合成後系列（すなわちＰＴＲＳシンボル系列をデータシンボル系列に挿入して得られる系列）におけるインデックスを予め算出する。それから、前記インデックスに基づいて、ＰＴＲＳビット系列とデータビット系列の独自のπ／２−ＢＰＳＫ変調を行い、その後ＰＴＲＳシンボル系列をデータシンボル系列に挿入する。具体的なフローは、図７に示され、以下のステップを含む。
【００６８】
ステップ７０１において、ＰＴＲＳのパイロットパターン（たとえばチャンクのサイズ、チャンクの数、チャンクの位置）に基づいて、各ＰＴＲＳビットおよび各データビットの合成後系列（すなわちＰＴＲＳシンボル系列をデータシンボル系列に挿入して得られる系列）におけるインデックスを予め算出する。
ステップ７０２において、データビット系列を生成する。
ステップ７０３において、各データビットの合成後系列におけるインデックスに基づいて、各ＰＴＲＳビット系列のπ／２−ＢＰＳＫ変調を行う。
ステップ７０４において、データビット系列を取得する。
ステップ７０５において、各データビットの合成後系列におけるインデックスに基づいて、各データビット系列のπ／２−ＢＰＳＫ変調を行う。
ステップ７０６において、ＰＴＲＳシンボル系列をデータシンボル系列に挿入する。
ステップ７０７において、ＤＦＴ変換を行う。当該ステップは、変調後のシンボル系列のＤＦＴ変換を行う。
ステップ７０８において、プリコーディングを行う。当該ステップは、ＤＦＴ変換後の系列のプリコーディングを行う。
ステップ７０９において、リソースマッピングを行う。当該ステップは、プリコーディングされる系列をリソースにマッピングする。
ステップ７０１０において、ＤＦＴ−Ｓ−ＯＦＤＭシンボルを生成する。
【００６９】
なお、ステップ７０１、ステップ７０２およびステップ７０４の実行順は、限定されない。また、ステップ７０３は、ステップ７０１とステップ７０２の後に実行され、ステップ７０５は、ステップ７０１とステップ７０４の後に実行される。
【００７０】
ＰＴＲＳパイロットパターンをＸ×Ｋとし、ＰＴＲＳビット系列をｂｃ，ｉとし、ｃ＝０，１，．．．，Ｘ−１は、チャンクの番号インデックスであり、ｉ＝０，１，．．．，Ｋ−１は、各チャンク内のサンプリングポイントインデックスである。データビット系列をｄｊとし、ｊ＝０，１，．．．，Ｎ−Ｘ×Ｋ−１（ＮがＤＦＴサイズである）。
【００７１】
まず、ＰＴＲＳパイロットパターンに基づいて、各ＰＴＲＳビットおよび各データビットの新規に生成されるビット系列におけるインデックスを予め算出する。次に、式（１）によってＰＴＲＳビット系列とデータビット系列のπ／２−ＢＰＳＫ変調をそれぞれ行う。なお、式でのインデックスｉは、上記予め算出される結果である、新規に生成されるビット系列におけるインデックスである。それから、変調したＰＴＲＳシンボル系列を、ＰＴＲＳパイロットパターンにしたがって、変調したデータシンボル系列に挿入し、それからのフローは、図７に示される。
【００７２】
当該実施形態において、ＤＦＴ前のシンボル系列の位相変化が±π／２に維持することを保証し、低いＰＡＰＲを保証することができる。
【００７３】
本実施例は、図２に示す実施例を基に、多種類の選択可能な実施形態を追加し、かつＤＦＴ前のシンボル系列の位相変化が±π／２に維持することを保証し、低いＰＡＰＲを保証することができる。
【００７４】
図８を参照する。図８は、本開示の実施例における通信機器の構造図である。
図８に示すように、通信機器８００は、
ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られるシンボル系列を含むターゲット系列を、ＰＴＲＳビット系列に基づいて生成するための第１生成モジュール８０１と、
ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、
前記ターゲット系列に基づいてＯＦＤＭシンボルを生成するための第２生成モジュール８０２と、
を含む。
【００７５】
上記モジュールは、ソフトウェアおよび／またはハードウェアとして実現可能である。これは、当業者にとって自明である。
【００７６】
選択可能に、前記第１生成モジュール８０１は、前記挿入後ビット系列のπ／２−ＢＰＳＫ変調によって前記ターゲット系列を生成することに用いられる。
【００７７】
選択可能に、図９に示すように、前記第１生成モジュール８０１は、
前記ＰＴＲＳビット系列のＢＰＳＫ変調、および、前記データビット系列のＢＰＳＫ変調を行うための第１変調ユニット８０１１と、
前記ＰＴＲＳビット系列のＢＰＳＫ変調で得られたシンボル系列を、前記データビット系列のＢＰＳＫ変調で得られたシンボル系列に挿入するための第１挿入ユニット８０１２と、
前記挿入後シンボル系列の位相回転によって前記ターゲット系列を得るための位相回転ユニット８０１３と、
を含む。
【００７８】
選択可能に、前記位相回転ユニット８０１３は、各シンボルの前記挿入後シンボル系列におけるインデックスに基づいて、前記シンボル系列の位相回転を行って前記ターゲット系列を得ることに用いられる。各シンボルの回転位相は、各シンボルの前記シンボル系列におけるインデックス×π／２である。
【００７９】
選択可能に、図１０に示すように、前記第１生成モジュール８０１は、
前記ＰＴＲＳビット系列で各ＰＴＲＳビットの前記ターゲット系列におけるインデックス、および、前記データビット系列で各データビットの前記ターゲット系列におけるインデックスを算出するための算出ユニット８０１４と、
各ＰＴＲＳビットの前記ターゲット系列におけるインデックスに基づくπ／２−ＢＰＳＫ変調によって前記ＰＴＲＳシンボル系列を得、各データビットの前記ターゲット系列におけるインデックスに基づくπ／２−ＢＰＳＫ変調によって前記データシンボル系列を得るための第２変調ユニット８０１５と、
前記ＰＴＲＳシンボル系列を前記データシンボル系列に挿入して前記ターゲット系列を得るための第２挿入ユニット８０１６と、
を含む。
【００８０】
選択可能に、図１１に示すように、前記通信機器８００は、
π／２−ＢＰＳＫ変調を経たＤＭＲＳ系列のうち、所定位置のＸ（０より大きい整数）×Ｋ（０より大きい整数）個のビットを、前記ＰＴＲＳビット系列とするための第３生成モジュール８０３、または、
π／２−ＢＰＳＫ変調を経たＤＭＲＳ系列のうち、位置がＰＴＲＳパイロットパターンに対応するビットを、前記ＰＴＲＳビット系列とするための第４生成モジュール８０４、または、
長さがシステム帯域幅内のサブキャリア数に等しく、セルＩＤによるスクランブルを経た系列のうち、ＰＴＲＳリソースマッピングの周波数領域位置に対応するサブ系列を、前記ＰＴＲＳビット系列とするための第５生成モジュール８０５、
をさらに含む。
【００８１】
選択可能に、前記セルＩＤに対応するセルには、少なくとも２つのユーザ端末は、すべて前記セルＩＤによるスクランブルを経た系列を利用してＰＴＲＳビット系列を生成し、異なるセルでは、セルＩＤによるスクランブルを経た系列が異なる。
【００８２】
本開示の実施例における通信機器は、図２〜図３の方法実施例の通信機器によって実現される各プロセスを実現可能であり、重複を避けるために、ここでは繰り返して記載せず、かつＰＡＰＲを低くすることができる。
【００８３】
図１２は、本開示の各実施例を実現する通信機器のハードウェア構造図である。
当該通信機器は、ラジオ周波数ユニット１２０１と、ネットワークモジュール１２０２と、音声出力ユニット１２０３と、入力ユニット１２０４と、センサ１２０５と、表示ユニット１２０６と、ユーザ入力ユニット１２０７と、インタフェースユニット１２０８と、メモリ１２０９と、プロセッサ１２１０と、電源１２１１などの構成要素を含むが、これらに限定されない。図１２に示される通信機器の構造で通信機器を限定することはなく、通信機器は、図示されるよりも多いまたは少ない構成要素を含むことができ、または特定の構成要素を組み合わせることができ、または異なる構成要素の配置を含むことができることを、当業者は理解可能である。本開示の実施例において、通信端末は、携帯電話、タブレットパソコン、ノートパソコン、パームトップパソコン、車載通信端末、ウェアラブルデバイスおよび歩数計などを含むが、それらに限定されない。
【００８４】
プロセッサ１２１０は、
ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られるシンボル系列を含むターゲット系列を、ＰＴＲＳビット系列に基づいて生成することと、
ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、
前記ターゲット系列に基づいてＯＦＤＭシンボルを生成することと、
に用いられる。
【００８５】
選択可能に、プロセッサ１２１０によって実行される、ターゲット系列をＰＴＲＳビット系列に基づいて生成することは、
前記ＰＴＲＳビット系列を前記データビット系列に挿入することと、
前記挿入後ビット系列のπ／２−ＢＰＳＫ変調によって前記ターゲット系列を生成することと、
を含む。
【００８６】
選択可能に、プロセッサ１２１０によって実行される、ターゲット系列をＰＴＲＳビット系列に基づいて生成することは、
前記ＰＴＲＳビット系列のＢＰＳＫ変調、および、前記データビット系列のＢＰＳＫ変調を行うことと、
前記ＰＴＲＳビット系列のＢＰＳＫ変調で得られたシンボル系列を、前記データビット系列のＢＰＳＫ変調で得られたシンボル系列に挿入することと、
前記挿入後シンボル系列の位相回転によって前記ターゲット系列を得ることと、
を含む。
【００８７】
選択可能に、プロセッサ１２１０によって実行される、前記挿入後シンボル系列の位相回転は、
各シンボルの前記挿入後シンボル系列におけるインデックスに基づく、前記シンボル系列の位相回転を含み、各シンボルの回転位相は、各シンボルの前記シンボル系列におけるインデックス×π／２である。
【００８８】
選択可能に、プロセッサ１２１０によって実行される、ターゲット系列をＰＴＲＳビット系列に基づいて生成することは、
前記ＰＴＲＳビット系列で各ＰＴＲＳビットの前記ターゲット系列におけるインデックス、および、前記データビット系列で各データビットの前記ターゲット系列におけるインデックスを算出することと、
各ＰＴＲＳビットの前記ターゲット系列におけるインデックスに基づくπ／２−ＢＰＳＫ変調によって前記ＰＴＲＳシンボル系列を得、各データビットの前記ターゲット系列におけるインデックスに基づくπ／２−ＢＰＳＫ変調によって前記データシンボル系列を得ることと、
前記ＰＴＲＳシンボル系列を前記ＰＴＲＳシンボル系列に挿入して前記ターゲット系列を得ることと、
を含む。
【００８９】
選択可能に、前記のターゲット系列を生成するステップの前に、プロセッサ１２１０は、さらに、
π／２−ＢＰＳＫ変調を経たＤＭＲＳ系列のうち、所定位置のＸ（０より大きい整数）×Ｋ（０より大きい整数）個のビットを、前記ＰＴＲＳビット系列とすること、または、
π／２−ＢＰＳＫ変調を経たＤＭＲＳ系列のうち、位置がＰＴＲＳパイロットパターンに対応するビットを、前記ＰＴＲＳビット系列とすること、または、
長さがシステム帯域幅内のサブキャリア数に等しく、セルＩＤによるスクランブルを経た系列のうち、ＰＴＲＳリソースマッピングの周波数領域位置に対応するサブ系列を、前記ＰＴＲＳビット系列とすることに用いられる。
【００９０】
選択可能に、前記セルＩＤに対応するセルには、少なくとも２つのユーザ端末は、すべて前記セルＩＤによるスクランブルを経た系列を利用してＰＴＲＳビット系列を生成し、異なるセルでは、セルＩＤによるスクランブルを経た系列が異なる。
【００９１】
前記通信機器は、ＰＡＰＲを低くすることができる。
【００９２】
本開示の実施例において、ラジオ周波数ユニット１２０１は、情報の送受信または通話中で信号の送受信に用いられ、具体的に、基地局からのダウンリンクデータを受信した後、プロセッサ１２１０による処理に供し、また、アップリンクデータを基地局に送信する。一般に、ラジオ周波数ユニット１２０１は、アンテナ、少なくとも１つの増幅器、トランシーバ、結合器、低雑音増幅器、デュプレクサなどを含むが、それらに限定されない。また、ラジオ周波数ユニット１２０１は、無線通信システムを介してネットワークや他の機器と通信を行うこともできる。
【００９３】
通信機器は、ネットワークモジュール１２０２を介して、電子メールの送受信、ウェブページの閲覧、ストリーミングメディアへのアクセスを支援するなど、無線ブロードバンドインターネットアクセスをユーザに提供する。
【００９４】
音声出力ユニット１２０３は、ラジオ周波数ユニット１２０１やネットワークモジュール１２０２が受信した音声データや、メモリ１２０９に記憶された音声データを音声信号に変換して音声として出力することができる。また、音声出力ユニット１２０３は、通信機器１２００が実行する特定の機能に関する音声（例えば、呼出信号着信音、メッセージ着信音等）を出力してもよい。音声出力ユニット１２０３は、スピーカ、ブザーおよびレシーバなどを含む。
【００９５】
入力ユニット１２０４は、音声や映像の信号を受信することに用いられる。入力ユニット１２０４は、ビデオキャプチャモードまたは画像キャプチャモードでカメラなどの画像キャプチャ装置によって取得された静止画または動画の画像データを処理するグラフィックスプロセッサＧＰＵ（Ｇｒａｐｈｉｃｓ  Ｐｒｏｃｅｓｓｉｎｇ  Ｕｎｉｔ）  １２０４１と、マイク１２０４２とを含み得る。処理された画像フレームは、表示ユニット１２０６上に表示され得る。グラフィックスプロセッサ１２０４１で処理された画像フレームは、メモリ１２０９（又は他の記憶媒体）に記憶されるか、又はラジオ周波数ユニット１２０１またはネットワークモジュール１２０２を介して送信され得る。マイク１２０４２は、音声を受信し、音声データに加工することができる。処理された音声データは、電話通話モードの場合、ラジオ周波数ユニット１２０１を介して移動体通信基地局に送信可能な形式に変換して出力することができる。
【００９６】
通信機器１２００は、光センサ、モーションセンサおよび他のセンサのような少なくとも１つのセンサ１２０５を更に含む。具体的には、光センサは、周辺光センサおよび近接センサを含む。周辺光センサは、周辺光の明暗に応じて表示パネル１２０６１の輝度を調節し、近接センサは、通信機器１２００が耳に移動したときに表示パネル１２０６１および／またはバックライトを消灯する。モーションセンサの１種として、加速度計センサは、様々な方向（一般的には３軸）の加速度の大きさを検出でき、静止時は重力の大きさ及び方向を検出でき、通信機器姿勢の認識（例えば、縦横画面切替、関連ゲーム、磁力計姿勢キャリブレーション）、振動認識関連機能（たとえば、歩数計、ストローク）などに用いることができる。センサ１２０５は、指紋センサ、圧力センサ、虹彩センサ、分子センサ、ジャイロスコープ、気圧計、湿度計、温度計、赤外線センサなどをさらに含むことができるが、ここでは枚挙しない。
【００９７】
表示ユニット１２０６は、ユーザが入力した情報やユーザに提供した情報を表示するために用いられる。表示ユニット１２０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１２０６１を含んでもよい。
【００９８】
ユーザ入力ユニット１２０７は、数字や文字情報の入力を受け付け、ユーザによる通信機器の設定や機能制御に関するキー信号の入力を行うことに用いられる。具体的に、ユーザ入力ユニット１２０７は、タッチパネル１２０７１と、その他の入力装置１２０７２とを含む。タッチパネル１２０７１は、タッチスクリーンとも呼ばれ、その上または付近でのユーザのタッチ操作を取得可能である（たとえばユーザが指やスタイラスなどの任意の適切な物体や付属部材を用いたタッチパネル１２０７１の上またはタッチパネル１２０７１の付近での操作）。タッチパネル１２０７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１２１０に送り、プロセッサ１２１０からの命令を受信して実行する。なお、タッチパネル１２０７１は、抵抗膜式、静電容量式、赤外線、表面弾性波など、種々の方式を用いて実現することができる。ユーザ入力ユニット１２０７は、タッチパネル１２０７１の他に、他の入力装置１２０７２を含んでもよい。具体的に、他の入力装置１２７２は、物理的なキーボード、機能キー（例えば、音量調節キー、スイッチキーなど）、トラックボール、マウス、レバーを含み得るが、ここでは枚挙しない。
【００９９】
さらに、タッチパネル１２０７１は、表示パネル１２０６１に重ねられる。タッチパネル１２０７１は、その上またはその近くでタッチ操作を検出すると、プロセッサ１２１０に送信して、タッチイベントのタイプを決定する。次いで、プロセッサ１２１０は、タッチイベントのタイプに応じて、対応する視覚的出力を表示パネル１２０６１に提供する。図１２では、タッチパネル１２０７１と表示パネル１２０６１は、独立した２つの部品として通信機器の入出力機能を実現するが、実施例によっては、タッチパネル１２０７１と表示パネル１２０６１を一体化して通信機器の入出力機能を実現することもでき、具体的にここでは限定しない。
【０１００】
インタフェースユニット１２０８は、外部装置と通信機器１２００とを接続するためのインタフェースである。例えば、外部装置は、有線または無線ヘッドホンポート、外部電源（又はバッテリ充電器）ポート、有線または無線データポート、メモリカードポート、識別モジュールを有する装置を接続するためのポート、オーディオ入出力（Ｉ／Ｏ）ポート、ビデオＩ／Ｏポート、ヘッドホンポート等を含み得る。インタフェースユニット１２０８は、外部装置から入力（たとえば、データ情報、電力など）を受信し、受信した入力を通信機器１２００内の１つ以上の要素に伝送するために使用されてもよく、または通信機器１２００と外部装置との間でデータを伝送するために使用されてもよい。
【０１０１】
メモリ１２０９は、ソフトウェアプログラムおよび様々なデータを格納するために使用され得る。メモリ１２０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。さらに、メモリ１２０９は、高速ランダムアクセスメモリを含んでもよく、少なくとも１つの磁気ディスク記憶装置、フラッシュメモリデバイス、または他の揮発性固体記憶デバイスなどの不揮発性メモリを含んでもよい。
【０１０２】
プロセッサ１２１０は、通信機器の制御センタであり、各種インタフェースや回線を用いて通信機器全体の各部を接続し、メモリ１２０９に格納されたソフトウェアプログラムおよび／またはモジュールを実行し、メモリ１２０９に格納されたデータを呼び出して通信機器の各種機能および処理データを実行し、通信機器全体の監視を行う。プロセッサ１２１０は、１つ以上の処理ユニットを含んでもよい。選択可能に、プロセッサ１２１０は、オペレーティングシステム、ユーザインタフェースおよびアプリケーションなどを主に処理するアプリケーションプロセッサと、ワイヤレス通信を主に処理するモデムプロセッサとを統合することができる。上述のモデムプロセッサは、プロセッサ１２１０に統合されなくてもよいことが理解される。
【０１０３】
通信機器１２００は、各構成要素に電力を供給するためのバッテリのような電源１２１１をさらに含んでもよい。選択可能に、電源１２１１は、電源管理システムを介してプロセッサ１２１０に論理的に接続されてもよく、電源管理システムを介して充電、放電、および消費電力管理などを管理する機能を実現してもよい。
【０１０４】
また、通信機器１２００は、図示しない機能モジュールをさらに含んでもよく、ここでの説明は省略する。
【０１０５】
好ましく、本開示の実施例は、プロセッサ１２１０と、メモリ１２０９と、メモリ１２０９に格納されて前記プロセッサ１２１０で実行可能なコンピュータプログラムを含む通信機器をさらに提供する。当該コンピュータプログラムがプロセッサ１２１０によって実行されると、上記ＯＦＤＭシンボル生成方法の実施例の各プロセスが実現され、かつ同じ技術効果を奏することもできるため、重複を避けるために、ここでは繰り返して記載しない。
【０１０６】
本開示の実施例は、コンピュータプログラムが格納されているコンピュータ読み取り可能な記憶媒体をさらに提供し、当該コンピュータプログラムがプロセッサによって実行されると、ＯＦＤＭシンボル生成方法の実施例の各プロセスが実現され、かつ同じ技術効果を奏することもできるため、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど等である。
【０１０７】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０１０８】
以上の実施形態の記載から、上記実施例の方法が、ソフトウェアに必須の汎用ハードウェアプラットフォームの形態で実現されているが、もちろんハードウェアによっても実現されてもよく、多くの場合では前者がより好適な実施形態であることは、当業者にとって自明である。このような理解に基づき、本開示の技術手段の実質的または従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機またはネットワークデバイスなど）に実行させるいくつかの指令を含む。
【０１０９】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨および特許請求の範囲から逸脱することなくなしえる多くの形態は、すべて本開示の保護範囲に含まれる。
【図１】
2021501505.tif 000007
【図２】
2021501505.tif 000008
【図３】
2021501505.tif 000009
【図４】
2021501505.tif 000010
【図５】
2021501505.tif 000011
【図６】
2021501505.tif 000012
【図７】
2021501505.tif 000013
【図８】
2021501505.tif 000014
【図９】
2021501505.tif 000015
【図１０】
2021501505.tif 000016
【図１１】
2021501505.tif 000017
【図１２】
2021501505.tif 000018
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル生成方法において、
ＰＴＲＳ（Ｐｈａｓｅ  Ｔｒａｃｋｉｎｇ  Ｒｅｆｅｒｅｎｃｅ  Ｓｉｇｎａｌ）ビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られたシンボル系列を含むターゲット系列を、ＰＴＲＳビット系列に基づいて生成することと、
ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、
前記ターゲット系列に基づいてＯＦＤＭシンボルを生成することと、
を含む、ＯＦＤＭシンボル生成方法。
【請求項２】
前記のターゲット系列をＰＴＲＳビット系列に基づいて生成することは、
前記ＰＴＲＳビット系列を前記データビット系列に挿入することと、
前記挿入後ビット系列のπ／２−ＢＰＳＫ（π／２−Ｂｉｎａｒｙ  Ｐｈａｓｅ  Ｓｈｉｆｔ  Ｋｅｙｉｎｇ）変調によって、前記ターゲット系列を生成することと、
を含む、請求項１に記載の方法。
【請求項３】
前記ＰＴＲＳビットのインデックスは、ＰＴＲＳビットに対応する変調シンボルの前記ターゲット系列におけるインデックスである、請求項１に記載の方法。
【請求項４】
前記ＰＴＲＳビットに対応する変調シンボルの前記ターゲット系列におけるインデックスは、ＰＴＲＳのパイロットパターンによって得られる、請求項３に記載の方法。
【請求項５】
前記のターゲット系列をＰＴＲＳビット系列に基づいて生成することは、
前記ＰＴＲＳビット系列で各ＰＴＲＳビットの前記ターゲット系列におけるインデックス、および、前記データビット系列で各データビットの前記ターゲット系列におけるインデックスを算出することと、
各ＰＴＲＳビットの前記ターゲット系列におけるインデックスに基づくπ／２−ＢＰＳＫ変調によって前記ＰＴＲＳシンボル系列を得、各データビットの前記ターゲット系列におけるインデックスに基づくπ／２−ＢＰＳＫ変調によって前記データシンボル系列を得ることと、
前記ＰＴＲＳシンボル系列を前記データシンボル系列に挿入して前記ターゲット系列を得ることと、
を含む、請求項１に記載の方法。
【請求項６】
ＰＴＲＳ群のサイズが偶数である場合、前記データビット系列で各データビットの前記ターゲット系列におけるインデックスを算出する必要がなく、
前記データシンボル系列は、前記各データビットの前記データビット系列におけるインデックスに基づくπ／２−ＢＰＳＫ変調によって得られる、請求項５に記載の方法。
【請求項７】
前記のターゲット系列を生成することの前に、
π／２−ＢＰＳＫ変調を経たＤＭＲＳ（Ｄｅｍｏｄｕｌａｔｉｏｎ  Ｒｅｆｅｒｅｎｃｅ  Ｓｉｇｎａｌ）系列のうち、所定位置のＸ（０より大きい整数）×Ｋ（０より大きい整数）個のビットを、前記ＰＴＲＳビット系列とすること、または、
π／２−ＢＰＳＫ変調を経たＤＭＲＳ系列のうち、位置がＰＴＲＳパイロットパターンに対応するビットを、前記ＰＴＲＳビット系列とすること、または、
長さがシステム帯域幅内のサブキャリア数に等しく、セルＩＤによるスクランブルを経た系列のうち、ＰＴＲＳリソースマッピングの周波数領域位置に対応するサブ系列を、前記ＰＴＲＳビット系列とすること、
をさらに含む、請求項１〜６のいずれか一項に記載の方法。
【請求項８】
前記セルＩＤに対応するセルには、少なくとも２つのユーザ端末は、すべて前記セルＩＤによるスクランブルを経た系列を利用してＰＴＲＳビット系列を生成し、異なるセルでは、セルＩＤによるスクランブルを経た系列が異なる、請求項７に記載の方法。
【請求項９】
ＰＴＲＳビット系列をデータビット系列に挿入して変調したシンボル系列、前記ＰＴＲＳビット系列の変調シンボル系列を前記データビット系列の変調シンボル系列に挿入して位相回転をしたシンボル系列、または、ＰＴＲＳシンボル系列をデータシンボル系列に挿入して得られたシンボル系列を含むターゲット系列を、ＰＴＲＳビット系列に基づいて生成するための第１生成モジュールと、
ここで、前記ＰＴＲＳシンボル系列は、ＰＴＲＳビットのインデックスに基づいて前記ＰＴＲＳビット系列を変調したシンボル系列であり、前記データシンボル系列は、データビットのインデックスに基づいて前記データビット系列を変調したシンボル系列であり、
前記ターゲット系列に基づいてＯＦＤＭシンボルを生成するための第２生成モジュールと、
を含む、通信機器。
【請求項１０】
前記第１生成モジュールは、
前記挿入後ビット系列のπ／２−ＢＰＳＫ変調によって、前記ターゲット系列を生成することに用いられる、請求項９に記載の通信機器。
【請求項１１】
前記ＰＴＲＳビットのインデックスは、ＰＴＲＳビットに対応する変調シンボルの前記ターゲット系列におけるインデックスである、請求項９に記載の通信機器。
【請求項１２】
前記ＰＴＲＳビットに対応する変調シンボルの前記ターゲット系列におけるインデックスは、ＰＴＲＳのパイロットパターンによって得られる、請求項１１に記載の通信機器。
【請求項１３】
前記第１生成モジュールは、
前記ＰＴＲＳビット系列で各ＰＴＲＳビットの前記ターゲット系列におけるインデックス、および、前記データビット系列で各データビットの前記ターゲット系列におけるインデックスを算出するための算出ユニットと、
各ＰＴＲＳビットの前記ターゲット系列におけるインデックスに基づくπ／２−ＢＰＳＫ変調によって前記ＰＴＲＳシンボル系列を得、各データビットの前記ターゲット系列におけるインデックスに基づくπ／２−ＢＰＳＫ変調によって前記データシンボル系列を得るための第２変調ユニットと、
前記ＰＴＲＳシンボル系列を前記データシンボル系列に挿入して前記ターゲット系列を得るための第２挿入ユニットと、
を含む、請求項９に記載の通信機器。
【請求項１４】
π／２−ＢＰＳＫ変調を経たＤＭＲＳ系列のうち、所定位置のＸ（０より大きい整数）×Ｋ（０より大きい整数）個のビットを、前記ＰＴＲＳビット系列とするための第３生成モジュール、または、
π／２−ＢＰＳＫ変調を経たＤＭＲＳ系列のうち、位置がＰＴＲＳパイロットパターンに対応するビットを、前記ＰＴＲＳビット系列とするための第４生成モジュール、または、
長さがシステム帯域幅内のサブキャリア数に等しく、セルＩＤによるスクランブルを経た系列のうち、ＰＴＲＳリソースマッピングの周波数領域位置に対応するサブ系列を、前記ＰＴＲＳビット系列とするための第５生成モジュール、
をさらに含む、請求項９〜１３のいずれか一項に記載の通信機器。
【請求項１５】
前記セルＩＤに対応するセルには、少なくとも２つのユーザ端末は、すべて前記セルＩＤによるスクランブルを経た系列を利用してＰＴＲＳビット系列を生成し、異なるセルでは、セルＩＤによるスクランブルを経た系列が異なる、請求項１４に記載の通信機器。
【国際調査報告】
2021501505.tif 000019
2021501505.tif 000020
2021501505.tif 000021
2021501505.tif 000022